【事件の表示】
　特願２００３−３４３０８６「映像受信機」拒絶査定不服審判事件〔平成１６年　３月１１日出願公開、特開２００４−　８０８２２〕について、次のとおり審決する。
【結　論】
　本件審判の請求は、成り立たない。
【理　由】
１．経緯
（１）手続
　本願は、パリ条約による優先権主張（優先日：１９８９年１月２１日、ドイツ連邦共和国）を伴う平成２年１月２２日の出願（特願平２−１２４１２号）の一部を新たな特許出願とした平成１１年１１月１１日の出願（特願平１１−３２１２４９号）の一部を、さらに新たな特許出願とした平成１５年１０月１日の出願である。
　本件は、本願についてされた拒絶査定（平成１６年１２月１４日付け）を不服とする平成１７年３月２２日の請求である。
（２）査定
　原査定の理由は、概略、下記のとおりである。
　〈理由Ｂ〉
　本願明細書は、その特許請求の範囲の請求項２から請求項６までの各記載が不備と認められるから、特許法第３６条第４項に規定する要件を満たしていない。
　〈理由Ｃ〉
　本願の請求項１および請求項２に係る各発明は、下記刊行物に記載された各発明及び周知技術に基づいて当業者が容易に発明をすることができたものであるから、特許法第２９条第２項の規定により、特許を受けることができない。
　　　　　記
　刊行物１：特開昭６２−１４０５７８号公報
　刊行物２：特開昭６３−１８９０７３号公報
　刊行物３：特開昭６３−１３５９１号公報
　刊行物４：特開昭６４−１０４８２号公報（周知技術）
　
２．本願発明
　本願の請求項１から請求項７までに係る各発明は、本願明細書および図面（平成１６年１０月１３日付けおよび平成１７年４月２１日付けの各手続補正書により補正された明細書および図面）の記載からみて、それぞれ、特許請求の範囲の請求項１から請求項７までに記載したとおりのものであるところ、そのうち、請求項１および請求項２に係る発明は以下のとおりである。
　　　　　記（特許請求の範囲）
　【請求項１】
　番組識別子信号によって予め設定された番組に調整することのできるチューナと、
　チューナを介して受信した信号を記録するための装置と、
　記録されるべき放送および既に記録された放送に関するデータを記録するための、そして記録されるべき放送および既に記録された放送に関する前記データと共に前記放送に関する追加の放送情報を記録するための記憶装置と、ここで前記追加の放送情報はチューナを介して受信された信号から抽出されるものであり、
　かかる放送を記録することが実施されまたは完了した場合に、記憶装置内の放送に関するデータにフラグを配置するフラグ装置と、そして、
　画面上に検索された放送に関連するデータを有する放送データを表示するため、フラグされたもののみまたはフラグされていないもののみの放送データのいずれかを検索するための放送データ検索装置と、
を含むことを特徴とする映像受信機。
　【請求項２】
　前記映像受信機は、
　記憶される各放送が割り当てられる前記記憶装置内の全ての放送に関し、そこに放送が記録されるかまたは既に記録されているカセットを識別するカセットコードを自動的にまたは手動で入力するための記録媒体識別子入力装置をさらに含み、
　前記記憶装置がカセットコードが与えられた放送データを永久的に記憶し、そして、
　前記カセットに関係する前記記憶装置からの放送データが表示可能になるように、前記放送データ検索装置が入力されたカセットコードに関連するフラグのある放送データを検索する、
ことを特徴とする請求項１の映像受信機。
　
３．査定の検討１（理由Ｂについて）
　査定は、請求項２の記載不備を理由Ｂの一つとしている。
　（ａ）請求項１を引用する請求項２については、
　査定時に、
　「【請求項１】
　番組識別子信号によって予め設定された番組に調整することのできるチューナと、
　チューナを介して受信した信号を記録するための装置
とを含む映像受信機であって、
　
この映像受信はさらに、
　記録されるべき
および／または
　かかる放送を記録することが実施されまたは完了した場合に、記憶装置内の放送に関するデータにフラグを配置するフラグ装置と、そして、
　画面上に検索された放送データを表示するため、フラグされたもののみまたはフラグされていないもののみの放送データのいずれかを検索するための放送データ検索装置と、
を含むことを特徴とする映像受信機。
　【請求項２】
　
記録媒体識別子入力装置が、
記録媒体を
コードを
　前記記憶装置が
コード
　前記カセットに関係する前記記憶装置からの放送データが表示可能になるように、前記放送データ検索装置が入力された
コードに関連する
ことを特徴とする請求項１の映像受信機。」（補正前）とあったのが、
　請求時に、
　「【請求項１】
　番組識別子信号によって予め設定された番組に調整することのできるチューナと、
　チューナを介して受信した信号を記録するための装置と、
　記録されるべき放送
および
ための、そして記録されるべき放送および既に記録された放送に関する前記データと共に前記放送に関する追加の放送情報を記録するための
ここで前記追加の放送情報はチューナを介して受信された信号から抽出されるものであり、
　かかる放送を記録することが実施されまたは完了した場合に、記憶装置内の放送に関するデータにフラグを配置するフラグ装置と、そして、
　画面上に検索された
放送に関連するデータを有する
を含むことを特徴とする映像受信機。
　【請求項２】
　前記映像受信機は、
　記憶される各放送が割り当てられる前記記憶装置内の全ての放送に関し、そこに放送が記録されるかまたは既に記録されている
カセットを
カセットコード
記録媒体識別子入力装置を
　前記記憶装置が
カセットコード
　前記カセットに関係する前記記憶装置からの放送データが表示可能になるように、前記放送データ検索装置が入力された
カセットコードに関連する
ことを特徴とする請求項１の映像受信機。」（補正後）と補正された（なお、下線は、対応する部分を示す）。
　
　（ｂ）上記請求時の補正により、「前記映像受信機は、・・・記録媒体識別子入力装置をさらに含み、」（補正後）と補正されたので、「記録媒体識別子入力装置が映像受信機に含まれるか否かも不明である。」とした査定の理由は解消している。
　また、「コード」（補正前）が「カセットコード」（補正後）と補正されて「コード」が「カセット」に係るものであることが規定されたので、「コード」と「フラグ」の定義（異同）は明確になった。また、本願明細書の段落0017の「カセットコードに応じて
フラグが立てられた放送
フラグが立てられた放送データを
　
　（ｃ）上記請求時の補正により、「検索された放送データを表示する」（補正前）が「検索された
放送に関連するデータを有する
　
　（ｄ）結果的に、請求項２に係る発明は、特許法第３６条第４項に規定する要件を満たしていない。
　
４．査定の検討２（理由Ｃについて）
（１）請求項１の「放送に関連するデータ」
　（ａ）本願発明は「画面上に検索された放送に関連するデータを有する放送データを表示するため、フラグされたもののみまたはフラグされていないもののみの放送データのいずれかを検索するための放送データ検索装置」を含むところ、「放送に関連するデータ」がどのようなデータのことをいうのか不明であることは、前記のとおりである。
  （ｂ）これに対して請求人は、「放送に関連するデータ」に関連して、「「放送データ」については、請求項１において「放送に関連するデータを有する放送データ」と補正し、「放送情報」との差異が明確になるようにした。」として、その内容は本願明細書の段落0018に記載されていると主張する（請求書３頁の「（７）について」の項目）。また、「放送データ」は「放送に関するデータ」の代替となる記述であるとも主張する（回答書７頁の「（８）その他」の項目）。
　（ｃ）そこで、上記不明であるとする点をひとまず措き、請求人の主張する段落0018の記載等を参照して「放送に関連するデータ」の意義について検討をする。
　（ｃ１）まず、「（検索された）放送データを表示する」（補正前）が「（検索された）
放送に関連するデータを有する
　（ｃ２）本願明細書の段落0018には「このカセットコードが記憶されない場合、フラグが立てられた放送データ、つまり録音された
放送に関連するデータ
　（ｄ）以下、請求項１の「放送に関連するデータ」につき上記のとおりに理解した上で、請求項１に係る発明（本願発明ともいう）に対する理由Ｃについて検討をする。
　
（２）請求項１に係る発明の理由Ｃ
　（ａ）刊行物の記載
　（ａ１）刊行物４
　原査定において引用された刊行物４（特開昭６４−１０４８２号公報）には、以下の記載が認められる。
　〈産業上の利用分野〉
　（ア）「本発明は、コンピュータによるＶＴＲの制御方式に関するものである。」（１頁右下欄20行〜２頁左上欄１行）
　〈問題点を解決するための手段〉
　（イ）「本発明は、前記先行技術を改良したものであって、その要旨とするところは、個人別番組表により、ユーザーが留守中、或る決められた時間内に録画されたものを、ユーザーが帰宅してから上記番組表通りに再生視聴する時間的余裕がない場合に、これを一度ブラウン管の画面に全部表示させた後、その順番を指示または変更し、この順番通りにＶＴＲを捲戻し、或は早送りすることによって、与えられた時間内に決められた順位に視聴を可能とすることを特長とするコンピュータによるＶＴＲの制御方式にある。」（２頁左上欄15行〜右上欄５行）
　〈全体構成〉
　（ウ）「第１図は構成図であり、１はパーソナルコンピュータであり、・・・上記パーソナルコンピュータにおいて、１１はマイクロプロセッサー（ＣＰＵ）、１２は後述のディスクに記録されているプログラム、プログラムおよびデータをロードするためのローダ等のプログラムが記録されているＲＯＭ（リード　オンリー　メモリ）、１３は上記プログラムおよびデータを蓄積するためのＲＡＭ（ランダム　アクセス　メモリ）、１４はキーボード、１５は上記キーボードとＣＰＵとを共通バスを介して接続するためのインタフェースボードである。また１６〜２０はインタフェースボードであり、これらのインタフェースボードを介して２のフロッピー装置、３のＣＲＴディスプレイ、４のＶＴＲ（ビデオ　テープ　レコーダ）、またはユーザの好みにより７のマウス（後述）或は８のタッチパネル（後述）がパーソナルコンピユータｌに接続される。また５はＴＶ（テレビ）、６はプリンターであり、後述のＣＲＴディスプレイ３に表示される番組予定表等のハードコピーをとるのに使用される。」（２頁右上欄８行〜左下欄９行）
　〈番組予定表、番組予定表による録画〉
　（エ）「まず、第１図におけるフロッピー装置２のディスク（図示せず）には、・・・ユーザの趣向に合わせたテレビの番組予定表が１週間分子め記録されている。
　　第２図は、ディスクに記録されている上記１週間分のテレビ番組予定表から月曜日の分を指定してＣＲＴディスプレイ３に表示させたものの一部を例として図示したものである。この第２図から明らかのように時間帯は１５分単位に分割され、午前１０時００分〜１０時３０分までが１チャンネル、１０時３０分〜１０時４５分までが４チャンネル、１０時４５分〜１１時００分までが６チャンネル（以下省略）のテレビ番組が該当の時間帯でＶＴＲ４に録画されるようになっている。」（２頁左下欄10行〜右下欄６行）
　（オ）「第３図は、上述の番組予定表（番組表）に従いテレビ番組をＶＴＲ４に録画動作を示すフローチャートである。まず第１図に示すパーソナルコンピュータ１の電源を投入するか、またはリセットボタン２１を押すと、ＲＯＭ１２に内蔵されているローダプログラムまたは同等の手段により前記ディスクに内蔵されているプログラムをＲＡＭ１３の所定の領域にロードし、このプログラムをランさせることにより同じディスクあるいは別のディスクに蓄積されている番組予定表を上記ＲＡＭ１３の他の領域にロードする（ステップ３０１、３０２）。
　　上述のようにロードされたプログラムはパーソナルコンピュータ１に内蔵の時計（図示せず）と上述のようにロードされた番組表の曜日、時間、分を比較し、一致した場合にインタフェースボード１８を介してＶＴＲ４を録画状態に駆動し、該当チャンネルのテレビ番組の録画を開始する（ステップ３０３）。
　　次のステップ３０４における１５分経過後、ステップ３０５において上記ロードされた番組表により同じ番組の録画を継続するかをチエツクする。同じ番組の場合はステップ３０４に戻り録画時間のみ１５分間延長する。もし他の、番組に移る場合には、ステップ３０６において全番組の録画が終了したかのチエツクをなし、次のステップ３０７において次の番組を読みとり、上述のステップ３０３に戻り、新しい番組による録画動作に切換えるようになっている。また図示されていないが、ＶＴＲ４に内蔵されているテープカウンターの出力を読みとることにより各番組のテープ上の開始位置、終了位置を記録するようになっている。」（２頁右下欄７行〜３頁左上欄18行）
　（カ）「なお、本実施例においてはＶＴＲ４とのインタフェースボード１８には８２５５というパラレル入出力用ＩＣとスイッチングトランジスタ（複数）を用い、パーソナルコンピュータ１の指令により上記８２５５を介してスイッチングトランジスターをオン或いはオフとし、ＶＴＲ４の該当のスイッチ、即ち録画ボタン、チャンネルボタン等を制御するようにしている。」（３頁左上欄19行〜右上欄６行）
　〈ファンクションキーＦ１〜Ｆ５の機能〉
　（キ）「また上述のようにディスクからプログラムがＲＡＭ１３にロードされると、キーボード１４のファンクションキーＦ１、Ｆ２、Ｆ３、Ｆ５（第４図に示すような機能が割当てられている）により各種の制御が実行できるようになっている。
　　そして、例えばファンクションキーＦ１を押すと１週間分の番組予約表を順々にＣＲＴディスプレイ３に表示でき、好みに応じて任意に修正できるようになっている。」（３頁右上欄７行〜15行）
　（ク）第４図には、キーＦ１〜Ｆ５に、それぞれ、「個人番組表参照・修正」、「番組ガイド表示」、「データ受信」、「（使用せず）」、「ＶＴＲコントロール」の各機能が割り当てられることが示される。
　〈ファンクションキーＦ５・録画状態の表示〉
　（ケ）「さて、ファンクションキーＦ５を押すと、割込み動作によりＣＲＴディスプレイ３には第５図に示す文が表示される。
　　ここでキーボード１４上のカーソルキーにより”２・・・再生の順位指定”を選択してからリターンキーを押すと、今度はＣＲＴディスプレイ８には第６図に示すものが表示される。これは番組予定表に従い留守中に録画されたテレビ番組である。
　　この第６図中、”再生時間の合計”とはビデオテープに実際に録画された時間であり、・・・更に録画された番組の順位毎の時間、チャンネル、ステータス（後述）が表示される。このステータスとは録画状態を表示するものであり、”●”は録画が前述した１５分単位の録画が中途であることを表わしている。・・・また”○”は１５分間の録画が完全に行なわれたことを表わし、”×”は１５分間何も録画されなかったことを表わしている。」（３頁右上欄20行〜右下欄９行）
　〈優先順位の指定〉
　（コ）「さて、第６図に示すＣＲＴディスプレイの表示をみて、全部の録画した番組を視聴する時間的余裕がない場合には、以下に述べる方法によって視聴したい優先順位を指定することができる。そのためには、前述したカーソル移動キーにより任意の順位位置（×は録画されていないので除く）にカーソル（図示せず）を合わせ、順位に相当する数字を入力しリターンキーを押す。例えば第６図中の”順位２”にカーソルを合わせ”１”を入力してからリターンキーを押すと”順位２”は”順位ｌ”に変更できる（後述の第７図参照）。」（３頁右下欄10行〜20行）
　〈ＲＡＭ１３の記憶内容〉
　（サ）「前記ディスクに内蔵されているプログラムをＲＡＭ１３の所定の領域にロードし、・・・同じディスクあるいは別のディスクに蓄積されている番組予定表を上記ＲＡＭ１３の他の領域にロードする（ステップ３０１、３０２）。」（再掲、２頁右下欄12行〜18行）
　（シ）「ここでＣＲＴディスプレイに表示されていた諸データは第８図に示すデータテーブルと云われるＲＡＭの所定領域に転送され、このデータに基いて後述のようにＶＴＲが制御される。なお、上述の第６、７図においては各番組の開始位置、終了位置・・・は・・・各番組に組となってＲＡＭ１３に記憶されているものである。」（４頁左上欄16行〜右上欄８行）
　〈ビデオテープ側のラベル（日付）〉
　（ス）「また録画されたビデオテープを保存したい場合には、前述の情報に日付を付してディスクに蓄積し、ビデオテープ側にはラベルに日付を書込んでおく。そして後日、日付で検索し、その情報をＣＲＴディスプレイ３に表示し、必要に応じて優先順位を指定し、該当日付のビデオテープを優先順位に再生することもできる。」（５頁右下欄13行〜19行）
　〈未記録番組の録画〉
　（セ）「また帰宅后、録画情報をＣＲＴディスプレイ３に表示させ、未録画の番組が残っていれば、そのまま録画を継続させ、後刻録画の再生を行ってもよい。」（５頁右下欄20行〜６頁左上欄３行）
　（ａ２）刊行物３
　同じく引用された刊行物３（特開昭６３−１３５９１号公報）には、以下の記載が認められる。
　（ソ）「放送を受信し、情報検索を行うためには、まず第８図のステップＳ３１においてチューナー回路２の受信チャンネルを受信したい放送局に切り換える。続いてステップＳ３２でキーボード７からその放送局の可能な番組番号を入力するか、またはステップＳ３３においてその放送局独自の総目次画面（メニュー）を受信、表示させ、この画面を用いてキーボードから番組番号を入力することにより、番組選択を行う。」（２頁左上欄８行〜16行）
　
　（ｂ）本願発明と刊行物４に記載された発明との対比
　（ｂ１）チューナ
　刊行物４では、パーソナルコンピュータ１は、インタフェースボード１８を介してＶＴＲ４を録画状態に駆動し、該当チャンネルのテレビ番組の録画を開始する。ここで、ＶＴＲ４がチューナを内蔵していることは明らかであり、該チューナは本願発明にいう「チューナ」に相当し、ＶＴＲ４は本願発明にいう「チューナを介して受信した信号を記録するための装置」にそれぞれ相当する。もっとも、刊行物４の「チューナ」はチャンネルに調整されるものではあるものの、「番組識別子信号によって予め設定された番組に調整することのできる」とまでは記載されていない。相違が認められる。
　（ｂ２）映像受信機
　刊行物４では、パーソナルコンピュータ１、フロッピー装置２、ＣＲＴディスプレイ３、ＶＴＲ４、ＴＶ５などを備え（第１図の構成）、アンテナ９により受信したテレビジョン信号をＶＴＲ４に録画しその後ＴＶ５に再生するものである。これらの構成（第１図の構成）は「映像受信機」と言うことができる。
　（ｂ３）記憶装置（放送に関するデータ）
　（ｂ３１）刊行物４では、まず、フロッピー装置２のディスクには、ユーザの趣向に合わせたテレビの番組予定表（１５分単位に分割された時間帯と該当チャンネル）が１週間分予め記録されており（記載（エ））、そして、ファンクションキーＦ１を押すと１週間分の番組予約表を順々にＣＲＴディスプレイ３に表示でき、好みに応じて任意に修正できる（記載（キ）（ク））。
　パーソナルコンピュータ１の電源を投入するか、またはリセットボタン２１を押すと、ローダプログラム（ＲＯＭ１２に内蔵）により、フロッピー装置２のディスクに内蔵されているプログラムがＲＡＭ１３の所定の領域にロードされ、このプログラムをランさせることにより、フロッピー装置２のディスクに蓄積されている番組予定表がＲＡＭ１３の他の領域にロードされる（記載（オ））。
　以上によれば、ＲＡＭ１３には、まず、番組予定表に従って、１５分単位で録画されるべき各番組について、番組の時間、該当チャンネルが記憶される。
　（ｂ３２）刊行物４の番組予定表の番組の時間および該当チャンネルは本願発明にいう「放送に関するデータ」に相当し、ＲＡＭ１３は、本願発明にいう「記録されるべき放送および既に記録された放送に関するデータを記録するための記憶装置」に相当する。
　（ｂ４）記憶装置（放送情報）
　（ｂ４１）刊行物４には、ファンクションキーＦ３を押すことにより「データ受信」をし、同キーＦ２を押すことにより「番組ガイド表示」をすることが記載されている（記載（キ）（ク））。「番組ガイド表示」される情報は本願発明にいう「放送に関する追加の放送情報」に相当する。
　（ｂ４２）ところで、刊行物４には作業用の記憶装置としてはＲＡＭ１３のほかに記載がない。一方、プログラム、番組予定表、データテーブル、各番組の開始位置、終了位置などの各データは、全てＲＡＭ１３にロードされるか記憶されることが記載されている（記載（サ）（シ））。これによれば、刊行物４では、ＲＡＭ１３が作業用の記憶装置として一手に使用されていることが認められる。そうすると、「番組ガイド表示」のためのデータは、「番組予定表」と共にＲＡＭ１３内に記憶されることが認められる。
　（ｂ４３）本願発明にいう「記録されるべきおよび既に記録された放送に関する前記データと共に前記放送に関する追加の放送情報を記録するための記憶装置」に相当する構成の開示が認められる。
　もっとも、本願発明では「追加の放送情報はチューナを介して受信された信号から抽出されるものであ（り）」るところ、刊行物４にはこのような趣旨の記載はない。相違が認められる。
　（ｂ５）フラグ装置
　（ｂ５１）パーソナルコンピュータ１は、内蔵した時計とロードされた番組予定表の曜日、時間、分を比較し、一致した場合にＶＴＲ４を録画状態に駆動し、該当チャンネルのテレビ番組の録画を開始し、その後、１５分経過毎に同じ番組の録画を継続するかまたは新しい番組の録画に切換えることにより、番組予定表に従う録画を実行して行く（記載（オ））。このとき、各番組のテープ上の開始位置、終了位置（テープカウンターの出力）も記録され記憶される（記載（オ）（シ））。
　帰宅したユーザが、ファンクションキーＦ５を押した後「２・・・再生の順位指定」（第５図）を選択すると、ＣＲＴディスプレイ３に、番組予定表に従い留守中に録画されたテレビ番組の一覧（第６図）が表示される。この一覧表示中には、録画された番組の時間、チャンネル、ステータス（録画状態（「●」は録画が中途であること、「○」は録画が完全に行なわれたこと、「×」は何も録画されなかったことを表わす））が表示される（記載（ケ））。
　（ｂ５２）以上によれば、１５分単位の録画動作の終了後、これら録画されるべき番組についてそのステータス（中途、完全、録画なし）の表示が可能であることから、このようなステータスを示すために何らかのフラグが使用されていることは明らかである。
　（ｂ５３）ところで、前記のとおり、ＲＡＭ１３が作業用の記憶装置として一手に使用されていることから、ステータスを示すフラグも、上記番組の時間、該当チャンネルなどと同じようにＲＡＭ１３内に記憶されることが認められる。
　（ｂ５４）そうすると、刊行物４ではステータスの表示を可能とするために、本願発明にいう「かかる放送を記録することが実施されまたは完了した場合に、記憶装置内の放送に関するデータにフラグを配置するフラグ装置」に相当する回路の存在が認められる。
　（ｂ６）放送データ検索装置
　（ｂ６１）刊行物４では、録画されたビデオテープを保存したい場合には、情報に日付（ビデオテープのラベルの日付）を付してディスクに蓄積しておく（記載（ス））。このような日付はディスクに蓄積される前に一旦ＲＡＭ１３に記憶されることは明らかである。
　本願発明にいう「放送に関連したデータ」については上記のとおりに理解することとしたので、刊行物４の情報に付される「日付」はこれに相当する。
　（ｂ６２）刊行物４では、帰宅したユーザが「２・・・再生の順位指定」を選択すると、ＣＲＴディスプレイ８に、番組予定表に従い留守中に録画されたテレビ番組の一覧（番組の時間、チャンネル、ステータス）が表示されることは、前記のとおりである。本願発明にいう「画面上に放送に関連するデータを有する放送データを表示する」ところの表示装置を備えている。
　しかし、刊行物４では、録画がされるべきテレビ番組の全てについて未録画、既録画に拘わらずそれらの一覧が表示されるだけであり、これを「フラグされたもののみまたはフラグされていないもののみの放送データのいずれか」を検索し表示するとする本願発明と相違する。
　
　（ｃ）一致点・相違点
　本願発明と刊行物１記載の発明との一致点および相違点は下記のとおりである。
　　　　　記（一致点）
　チューナと、
　チューナを介して受信した信号を記録するための装置と、
　記録されるべき放送および既に記録された放送に関するデータを記録するための、そして記録されるべき放送および既に記録された放送に関する前記データと共に前記放送に関する追加の放送情報を記録するための記憶装置と、
　かかる放送を記録することが実施されまたは完了した場合に、記憶装置内の放送に関するデータにフラグを配置するフラグ装置と、そして、
　画面上に放送に関連するデータを有する放送データを表示する表示装置と、
を含むことを特徴とする映像受信機。
　　　　　記（相違点）
　〈相違点１〉
　本願発明は、チューナは「番組識別子信号によって予め設定された番組に調整することのできる」ものであり、「追加の放送情報はチューナを介して受信された信号から抽出されるものであ（り）」るのに対して、刊行物４には、そのような記載はない点。
　〈相違点２〉
　本願発明は、「画面上に検索された放送に関連するデータを有する放送データを表示するため、フラグされたもののみまたはフラグされていないもののみの放送データのいずれかを検索するための放送データ検索装置」を備えるのに対して、刊行物４には、そのような記載はない点。
　
　（ｄ）相違点の判断
　上記相違点について判断する。
　〈相違点１〉
　刊行物３には、チューナー回路２の受信チャンネルを受信したい放送局に切り換え、続いて、放送局独自の総目次画面（メニュー）を受信し表示させ、この画面を用いてキーボードから番組番号を入力することにより、番組選択を行うことが記載されている（記載（ソ））。ここで、チューナ回路２は本願発明にいう「番組識別子によって予め設定された番組に調整することのできるチューナ」に相当するものであり、総目次画面は本願発明にいう「追加の情報はチューナを介して受信された信号から抽出されるもの」である。
　他方、刊行物４には、ファンクションキーＦ３を押すことにより「データ受信」することが記載されている。
　そうすると、上記相違点１に係る構成は、刊行物４において、「番組ガイド表示」のためのデータの取得に当たり、その「データ受信」機能に刊行物３に記載されたチューナ回路の構成を採用することにより、当業者が容易になし得ることであると認められる。
　〈相違点２〉
　刊行物４には、ディスプレイの表示を見ながら、録画されていないものを除いて視聴したい優先順位を指定することが記載されている。すなわち、録画されていないものには関心がないことが記載されている（記載（コ））。また、録画情報をＣＲＴデイスプレィ３に表示させ未録画の番組が残っていれば、そのまま録画を継続させ後刻録画の再生を行ってもよいことが記載されている（記載（セ））。すなわち、録画されていないものに関心があることを示している。録画されているもののみ、あるいは、録画されていないもののみを表示するという要求の開示があると言うべきである。
　そうすると、上記相違点２に係る構成は、刊行物４の上記要求の開示を契機として、当業者が容易になし得ることであると認められる。
　〈効果等〉
　以上のとおり、上記相違点１及び相違点２に係る各構成は当業者が容易になし得ることであり、また、これら相違点を総合しても格別の作用をなすとは認められない。本願発明の効果も、刊行物４及び刊行物３の記載から予測することができる程度のものにすぎない。
　
　（ｅ）まとめ
　以上、請求項１に係る発明は、刊行物４及び刊行物３に記載された各発明に基づいて当業者が容易に発明をすることができたものである。
　
５．むすび
　以上、請求項２に係る発明は、特許法第３６条第４項に規定する要件を満たしていない。また、請求項１に係る発明は、刊行物４及び刊行物３に記載された各発明に基づいて当業者が容易に発明をすることができたものであるから、特許法第２９条第２項の規定により特許を受けることができない。
　したがって、残る請求項３から請求項６までについての理由Ｂ、残る請求項２に係る発明についての理由Ｃについて、特に検討をするまでもなく、本願は拒絶をすべきものである。
　よって、結論のとおり審決する。